(57)【特許請求の範囲】
【請求項１】
展示ケース外の光源からの光を光透過性の光学部品を通して展示ケース内の展示物に照射するための照明装置であって、
前記光透過性の光学部品を内部に収納し、外郭の少なくとも一部に球面形状部分を含むハウジングと、前記展示ケースを貫通する孔であり、前記ハウジングを前記展示ケースの内外にわたるように受け入れるための孔と、その孔の周縁に位置し、前記ハウジングを支持するための支持手段とを備え、
その支持手段が次の技術的特徴をもつ、展示ケース用照明装置。
（Ａ）前記支持手段は、前記展示ケースにより近接したところに支持部をもつ第１の支持部材と、その第１の支持部材の支持部よりも前記展示ケースから離れたところに支持部をもつ第２の支持部材とによって、前記ハウジングの球面形状の部分を支える。
（Ｂ）前記第１の支持部材は、前記ハウジングの球面形状の部分と常に接触するようになっているのに対し、前記第２の支持部材は、前記ハウジングの球面形状の部分との隙間距離を調整可能であり、それによって、前記ハウジングを回転可能に支持する状態と、前記ハウジングを固定する状態とを得る。
（Ｃ）前記第１の支持部材と前記ハウジングの球面形状部分との接触に伴う摩擦力に比べて、前記第２の支持部材と前記ハウジングの球面形状部分との接触に伴う摩擦力を小さくする。それにより、前記第２の支持部材を前記ハウジングを固定する状態にするとき、そのハウジングの無用な動きを防止する。
（Ｄ）前記第１の支持部材は、一対の支持片を有し、それら一対の支持片は互いに離れ、その間にシールリングのための装着溝を有し、その装着溝に一周にわたるシールリングを保持し、それによって、前記ハウジングと前記展示ケースとの間の気密化を図り、しかも、前記一対の支持片は、シールリングの内周部分と相協力して、それらの各先端が支持部を構成し、それにより、それら一対の支持片を有する第１の支持部材は、前記ハウジングの球面形状の部分との接触によって、前記ハウジングを所定の姿勢に維持することができるだけの摩擦力を生じ、前記Ｃと相俟って、前記第２の支持部材を前記ハウジングに対して固定するときの前記ハウジングの無用な動きを有効に防止する。
【請求項２】
前記光透過性の光学部品は、単一あるいは複数のレンズ、またはレンズ作用のない平板部品、さらには、それらの組み合わせのいずれか一つである、請求項１の照明装置。
【請求項３】
前記光源は、自らが発光する発光体、あるいは、自らが発光する発光体の光を光ファイバによって伝達し、その光ファイバの端部から発するようにした、前記発光体の二次的な光である、請求項１の照明装置。
【請求項４】
前記第１および第２の両支持部材の各支持部は、前記ハウジングの球面形状部分の大円を挟むような配置にある、請求項１の照明装置。
【請求項５】
前記第１の支持部材は、前記孔にはまり合う大きさのリング本体と、そのリング本体と一体であり、リング本体の内周に並列し、その間に前記シールリングの装着溝を形作る一対の支持片と、前記リング本体の外周に延びる外向きフランジとを備える、請求項１の照明装置。
【請求項６】
前記第２の支持部材は、前記ハウジングの球面形状部分に当たる支持部を内周側に含み、しかも、外周側にはおねじをもつねじリングであり、そのねじリングのおねじが、前記第１の支持部材に設けためねじにねじ結合し、そのねじリングを回転することにより、前記支持部と前記ハウジングの球面形状の部分との隙間距離を調整可能である、請求項１の照明装置。
【請求項７】
前記ハウジングは、照射方向や照射径を変える照射状態を変化させる調節機構、照射光を遮断するためのシャッタ機構の少なくとも一つを備え、それら調節機構およびシャッタ機構が、前記展示ケースの外部から操作可能である、請求項１の照明装置。
【発明の詳細な説明】
【発明の属する技術分野】
【０００１】
この発明は、店舗のショーケースや博物館の資料ケースなどの展示ケース用の照明技術であり、特には、展示ケース外の光源からの光を照射レンズ系を通して展示ケース内の展示物に照射するための照明装置に関する。
【発明の背景】
【０００２】
この種の展示ケースの中に展示物（資料や作品）を保管するとき、展示ケースによって展示物をケース外部の塵埃などから保護するだけでなく、ケース内の環境を一定に保ちつつ適切な照明を行うことが望まれる。管理すべきケース内の環境としては、温度や湿度、さらには、ガス雰囲気（たとえば、窒素ガス）がある。また、適切な照明は、各展示物に合う演出効果を生じる照明であり、観察者が展示物の個性や特徴を理解する上でプラスとなる照明であろう。
【０００３】
そのようなケース内の環境を制御するため、従来一般的には、展示ケースの外側に照明装置を配置し、ケース内の展示物に光を照射する方法を採用している。この一般的な方法は、ケースの中に手を入れることなく、ケースの外側で光の照射を制御することができる。したがって、このケース外側からの照明は、ケース内部の展示物を保護する観点からはすぐれている。しかし、ケースの外部から光を照射する場合、ケースを通して光を照射するため、展示物の演出が制限されるだけでなく、ケースの部分で光が乱反射するなどの難点がある。
【０００４】
また、別の方法として、特許文献１や２が示すように、光ファイバを利用して光源からの光を伝達する方法を採用することもできる。その方法によれば、熱を生じる光源をケースの外部に配置し、その光源の光を光ファイバによって、ケースの中に導き入れることができる。
【特許文献１】実開平５−１０９８４号
【特許文献２】特開平１０−１８６１３９号
【発明の開示】
【発明が解決しようとする課題】
【０００５】
発明者等は、前記した今までの照明技術を考慮しつつ、特には、展示物の保護および演出の観点から、展示物に適した照明方法について、いろいろと検討した。その結果、展示物の照明技術には、次の各点が求められることを確信した。第１には、ケース外部からのケース越しの照明ではなく、ケースを通さずに照明すること。また、第２に、照射状態を変えるための制御（たとえば、照射方向や照射径を変えるなど）をケースの中に手を入れることなくケースの外部から行うことができること。そして、第３には、展示物を主人公にするため、照明装置をケースに取付け、ケースの中には光ファイバなどの光伝達手段を入り込ませないようにすること。【０００６】
ケースを通さずに、しかも、光伝達手段をケースの中に入り込ませないようにするため、ケースに取付け孔を設け、その孔部分に照明装置を配置することが考えられる。その場合、照射状態を変えるための制御および作業をしやすくすることが求められる。
そこで、この発明は、照射状態を変えるための制御および作業を容易に行うことができる展示ケース用照明装置を提供することを主要な目的とする。
また、この発明は、展示ケースの気密化を図る上で有利な構造を提供することを目的とする。
また、この発明のさらに他の目的は、以下の説明から明らかになるであろう。
【課題を解決するための手段】
【０００７】
この発明では、装置のハウジングとして、球面形状部分を含むものを用い、そのハウジングを展示ケースを貫通する取付け孔に支持する構成とする。すなわち、この発明の照明装置は、光透過性の光学部品を内部に収納し、外郭の少なくとも一部に球面形状部分を含むハウジングと、展示ケースを貫通する孔であり、ハウジングを展示ケースの内外にわたるように受け入れる孔と、その孔の周縁に位置し、ハウジングを支持するための支持手段とを備える。ここで、ハウジングが球面形状部分をもつ理由は、取付け孔の内周において、ハウジングが回転し、照射方向を変える場合でも、ハウジングの外周側と展示ケースの取付け孔の内周側との位置関係が変わらないようにするためである。また、ハウジングに収納する光透過性の光学部品とは、一般的には、単一あるいは複数（たとえば、２あるいは３）のレンズを意味するが、場合によっては、レンズ作用のない平板、さらには、レンズ系と平板との組み合わせを含む概念である。レンズだけに限らないとする理由は、光ファイバがある程度の光指向性をもつので、近接する展示物の場合、レンズを通さずに光照射をすることもできるからである。
【０００８】
また、所定の照射状態を得るための制御および作業を容易にするため、支持手段は、基本的に、次のような技術的特徴をもつ。
（Ａ）支持手段は、展示ケースにより近接したところに支持部をもつ第１の支持部材と、その第１の支持部材の支持部よりも展示ケースから離れたところに支持部をもつ第２の支持部材とによって、ハウジングの球面形状の部分を支える。
（Ｂ）第１の支持部材は、ハウジングの球面形状の部分と常に接触するようになっているのに対し、第２の支持部材は、ハウジングの球面形状の部分との隙間距離を調整可能であり、それによって、ハウジングを回転可能に支持する状態と、ハウジングを固定する状態とを得る。
（Ｃ）第１の支持部材とハウジングの球面形状部分との接触に伴う摩擦力に比べて、第２の支持部材とハウジングの球面形状部分との接触に伴う摩擦力を小さくする。それにより、第２の支持部材をハウジングを固定する状態にするとき、そのハウジングの無用な動きを防止する。【０００９】
この発明の好ましい形態では、次の付加的な技術的特徴を備える。
（Ｄ）展示ケースに近接したところに支持部をもつ第１の支持部材は、一周にわたるシールリングを保持し、それによって、ハウジングと展示ケースとの気密化を図る。【００１０】
この発明で用いる光源としては、点光源としてすぐれたＬＥＤのほか、白熱ランプ、ハロゲンランプ、メタルハライドランプ、キセノンランプ、蛍光ランプなど可視光を出力する発光体を用いることができる。また、そのような直接的な光源からの光を光ファイバを通して二次的な光として用いることもできる。いずれの場合でも、光源は、展示ケースの外に目立たないような位置に配置するのが好ましい。  【００１１】
第１および第２の２つの支持部材は、ハウジングの球面形状部分の互いに異なる個所を支持することになるが、好ましくは、第１および第２の両支持部材の各支持部がハウジングの球面形状部分の大円を挟むような配置にするのが良い。その配置が、一番安定した支持形態であるからである。  【００１２】
２つの支持部材のうち、支持部が展示ケースにより近接した第１の支持部材は、Ｏリングを代表としたシールリングを含む形態と、シールリングを含まない形態とを取ることができる。シールリングを含む形態の場合、シールリングは、ハウジングの球面形状部分との接触により気密機能を有効に生じることに加えて、接触部における摩擦力により、ハウジングを所定の姿勢に維持するという機能（いわば、姿勢維持機能）を良好に発揮する。【００１３】
第１の支持部材は、ハウジングの球面形状部分に常に接触するが、もう一方の第２の支持部材は、ハウジングの球面形状部分に接触する状態と、球面形状部分から離れ隙間をもつ状態との異なる状態を取ることができる。しかも、第２の支持部材は、ハウジングの球面形状部分に接触するとき、その接触に伴う摩擦力は、第１の支持部材側の接触に伴う摩擦力よりも小さくなっている。そのような摩擦力のちがいは、ハウジングを回転し照射状態を調整した後で第２の支持部材とハウジング側との隙間をなくすことにより、ハウジングを固定する際に、ハウジングが無用に動いて調整を狂わすことがないようにする。したがって、ハウジングの無用な動きをなくすため、摩擦力のちがいをより大きくすることが好ましい。ちがいを大きくするため、第２の支持部材の接触面の接触面積を小さくしたり（たとえば、接触する部分を周方向の３個所にする）、接触面にすべりの良い材料、たとえばポリテトラフルオロエチレンのテープなどを貼ることができる。  【００１４】
この種の展示ケース用照明装置において、ハウジングに付属する機構としては、照射方向や照射径を変える（照射状態を変化させる）調節機構や、照射光を遮断するためのシャッタ機構がある。この発明では、それらの照射調節機構やシャッタ機構を展示ケースの外部から操作することができる。したがって、展示物である資料や作品が入ったケースに手を入れたりすることなく必要な操作を行うことができる。外部からの操作は、作業を効率よく行う点からも、展示物保護の観点からも好ましい。  
【図面の簡単な説明】
【００１５】
【図１】この発明を適用した展示例を示す照明模式図である。
【図２】この発明の展示ケース用照明装置の第１実施例であり、半断面構造を示す図である。
【図３】シャッタ機構を示す斜視図である。
【図４】この発明の展示ケース用照明装置の第２実施例を示す断面図である。
【符号の説明】
【００１６】
１０  展示ケース
１４  仕切り板
１６  取付け孔（孔）
２０  展示物
３０  光源装置
３２  光ファイバ
３２３，３２４  分岐光ファイバ
５０  照明装置
５２  ハウジング
５２０  ハウジング本体
５２０ｓ  球面形状部分
５２１  第１の照射筒
５２２  第２の照射筒
６００  Ｏリング（シールリング）
７１０  第１の結像レンズ
７２０  第２の結像レンズ
７３０  集光レンズ
７４０  絞りユニット
８０  シャッタ機構
９０  支持手段
９１０  第１の支持部材
９２０  第２の支持部材
９１００  第１の支持部材の支持部
９２００  第２の支持部材の支持部  
９１２  リング本体
９１４ａ，９１４ｂ  支持片
９１６  外向きフランジ
９３０  フランジ固定ナット
【発明を実施するための最良の形態】
【００１７】
まず、図１の照明模式図を参照しながら、この発明による照明装置の位置づけ、つまり、この発明の照明装置と展示ケースおよび展示物との関係を明らかにする。展示ケース１０は、上、中、下の３段の部屋をもつ直方体形状である。比較的に大きな中段の部屋１２が、展示物である作品２０を入れるための空間であり、そこが実質的な展示ケースを構成する部分である。残りの上下の部屋１１，１３は、光源装置３０およびその光源装置３０から延びる光ファイバ（ファイバケーブル）３２を収納するための空間である。各光ファイバ３２は、分岐型の光ファイバであり、通常、一つの光源装置３０に対して２〜４の分岐光ファイバ３２１，３２２，３２３，３２４を備える。光ファイバ３２は、その一端に光源装置３０内の光源（たとえば、ハロゲンランプ）が発する光を受け、それを各分岐光ファイバの他端まで伝達する。問題の照明装置は、その分岐光ファイバの端末に位置し、各分岐光ファイバ３２１〜３２４の端部からの光を展示物２０に照射する。展示物２０をすべて同じ照明装置で照射することもできるし、一部を異なる種類の照明装置で照射することもできる。図１の例では、下部の照明装置４０を反射ミラー４２を含む反射型とし、上部の照明装置５０をズームレンズを内蔵した直接投射型としている。また、一部の照明装置４０を他と異なるものを用いると同様、一部の光源装置３０を他と異ならせることもできる。なお、展示室である中段の部屋１２は、ガラスなどの透明材料で区画され、外から展示物２０を観察することができるのに対し、上下の部屋１１，１３は不透明な材料で区画され、内部を隠すようになっている。【００１８】
下部の照明装置４０は、分岐光ファイバ３２１，３２２の端部を中段の部屋１２の中に配置している。それに対し、上部の照明装置５０においては、分岐光ファイバ３２３，３２４の端部を上段の部屋１１の中に（すなわち、展示室である中段の部屋１２の外に）配置している。この発明で特に対象とする照明装置は、照射レンズ系であるズームレンズに対する光源を展示室（展示ケース）の外に配置するものであり、後者の照明装置５０である。【００１９】
図２が、直接投射型の照明装置５０の全体構造を明らかにしている。上段の部屋１１と中段の部屋１２とを区画する仕切り板（たとえば、板厚２ｍｍの塗装済み鋼板）１４に、照明装置５０の取付け部となる取付け孔（たとえば、直径６０ｍｍの円形状の孔）１６がある。孔１６は、仕切り板１４を貫通する貫通孔であり、照明装置５０のハウジングを仕切り板１４の内外にわたるように受け入れることができる。照明装置５０のハウジング５２は、外周を取り囲む側面が球面形状である本体５２０のほか、本体５２０に一体に支持された第１の照射筒５２１および第２の照射筒５２２を備える。ハウジング本体５２０は、球面形状部分５２０ｓの表面にアルマイト処理が施されたアルミニウム（あるいはアルミニウム合金）製である。その本体５２０には、球面形状部分５２０ｓの中心線と一致する軸線をもつ段付き孔５２４がある。段付き孔５２４は、大径孔５２４３、中径孔５２４２および小径孔５２４１が順次連なる貫通孔である。【００２０】
段付き孔５２４の内部を見ると、中径孔５２４２と小径孔５２４１との間の段部に、Ｏリング６０がはまり合い、そのＯリング６０の内周に第１の結像レンズ７１０がある。第１の結像レンズ７１０は、第１の照射筒５２１にフラットな一面を押されて支持されている。第１の照射筒５２１は、小径な筒部５２１０の一端に外向きフランジ５２１２を含み、その外向きフランジ５２１２の外周が大径孔５２４３の内周にねじ結合している。【００２１】
また、もう一方の照射筒である第２の照射筒５２２は、段付き孔５２４の大径孔５２４３の開口部に一部を入れ、残りの部分を段付き孔５２４の外に伸ばしている。第２の照射筒５２２は、大径部分５２２３、中径部分５２２２および小径部分５２２１が順次連なる筒である。この第２の照射筒５２２は、大径部分５２２３の内周に第２の結像レンズ７２０、また、中径部分５２２２の内周に集光レンズ７３０、さらに、集光レンズ７３０と第２の結像レンズ７２０との間に絞りユニット７４０をそれぞれ支持している。そして、第２の照射筒５２２の小径部分５２２１の内周が、分岐光ファイバ３２３，３２４の端部を支持する部分となっている。【００２２】
したがって、分岐光ファイバ３２３，３２４の端部から出る光は、まず集光レンズ７３０に入射し、集光レンズ７３０による集光作用によって、絞りユニット７４０の開口径の中に効率よく入っていく。絞りユニット７４０は、開口径を可変することができる絞り機能をもつ。この絞りユニット７４０が定める開口径の部分を、第２および第１の両結像レンズ７２０，７１０が拡大し、小径孔５２４１の開口部から仕切り板１４の内部（中段の部屋１２）に所定の照射径を作り出す。そこで、絞りユニット７４０が定める開口径を変化させることによって、照射径を変化させることができる。第２の照射筒５２２の中径部分５２２２の外周に、調整カム溝をもつビーム角調整リング５２６がはまり合っている。絞りユニット７４０を操作するためのアーム（図示しない）が、そのビーム角調整リング５２６の調整カム溝（図示しない）を貫いているので、そのアームを操作することによって、絞りユニット７４０の開口径を変えることができる。なお、ハウジング本体５２０の大径孔５２４３の開口部には、ピント調整リング５２８がはまり合い、そのピント調整リング５２８の内周に、第２の照射筒５２２がねじ結合している。【００２３】
照明装置５０は、また、第２の照射筒５２２の付近にシャッタ機構８０を備える。シャッタ機構８０は、複数の照明装置５０の中の一部の照明を選択的に遮断するために設ける。一つの光源装置３０からの光を複数の照明装置５０が共用していることから、演出の必要上、一部の照明装置５０による光を遮断する要求がある。その要求に応えるために、そのようなシャッタ機構８０が必要である。シャッタ機構８０に代えて、分岐光ファイバの端部を照明装置５０から取り外したり、あるいは、光ファイバの端部にキャップ（別に用意する部品）を被せたりする方法を採用することもできる。しかし、そのような方法では、作業に余計な手間がかかってしまう。その点、シャッタ機構８０は、手間がかからず、非常に有用である。ただ、光の漏れのない充分な遮光を行うためには、シャッタを光ファイバの径よりもかなり大きく設定せざるをえず、照明装置５０を大型化する傾向がある。図３に示すように、ここでは、光ファイバの端部に配置するシャッタ８２を、ばね８４によって光ファイバ（たとえば分岐光ファイバ３２３）の端部に押しつけるようにしている。ばね８４による押しつけによって、シャッタ８２は分岐光ファイバ３２３の端部に密着するので、小さなシャッタ８２で光の漏れを有効になくすことができる。なお、シャッタ機構８０は、そのようなシャッタ８２やばね８４のほか、シャッタ８２からＬ型に延びるシャッタ操作アーム８６を含む。シャッタ操作アーム８６のつまみ部分８６０は、第２の照射筒５２２の外に出ているので、シャッタ８２の開閉操作は容易である。  【００２４】
さて、以上のような照明装置５０は、ハウジング本体５２０を仕切り板１４の取付け孔１６に入れた形態で、仕切り板１４、つまりは展示ケース１０側に取り付ける。その取付けを可能にするため、取付け孔１６の周縁に支持手段９０がある。支持手段９０は、展示ケース１０（つまりは、仕切り板１４）により近接したところに支持部９１００をもつ第１の支持部材９１０と、その第１の支持部材９１０による支持部９１００よりも展示ケース１０（つまりは、仕切り板１４）から離れたところに支持部９２００をもつ第２の支持部９２０とを備える。互いに離れた支持部９１００，９２００をもつ第１および第２の両支持部材９１０，９２０は、ハウジング本体５２０の球面形状部分５２０ｓを支えることにより、ハウジング本体５２０を含むハウジング５２を支持する。ハウジング５２をより安定に支持するために、２つの支持部材９１０，９２０の各支持部９１００，９２００を球面形状部分５２０ｓの大円を挟むような配置にするのが好ましい。【００２５】
また、展示物２０に応じて、ハウジング５２の取付け角度を調節し、照射装置５０による照射方向を変えることが必要である。そのために、２つの支持部材９１０，９２０のうち、少なくとも一方については、ハウジング５２の球面形状部分５２０ｓとの隙間距離を調整可能にし、ハウジング５２を回転可能に支持する状態と、ハウジング５２を固定する状態とを取ることができるようにしなければならない。【００２６】
第１の支持部材９１０は、仕切り板１４の取付け孔１６にはまり合う大きさのリング本体９１２と、そのリング本体９１２の内周に並列した一対の支持片９１４ａ，９１４ｂと、リング本体の９１２の外周に延びる外向きフランジ９１６とを備える。リング本体９１２は、内周側の一対の支持片９１４ａ，９１４ｂ、および外周側の外向きフランジ９１６と一体のアルミニウム製の部品である。一対の支持片９１４ａ，９１４ｂは、ハウジング本体５２０の球面形状部分５２０ｓに対し、大円よりも下方（大円を地球の赤道とすると、下方は南半球に相当する）に位置する。そのため、一対の支持片９１４ａ，９１４ｂの高さは異なり、大円により近い支持片９１４ａよりも大円から離れた支持片９１４ｂの高さが大きくなっている。それら一対の支持片９１４ａ，９１４ｂは、互いに離れ、その間にＯリング６００のための装着溝を形作っている。また、一対の支持片９１４ａ，９１４ｂは、Ｏリング６００の内周部分と相協力して、それらの内周の各先端が支持部９１００を構成している。リング本体９１２には、さらに、その内外周にねじが切られている。外周のねじは、フランジ固定ナット９３０がねじ結合するおねじである。第１の支持部材９１０は、外向きフランジ９１６をシリコンパッキン９４０を挟みつつ仕切り板１４の裏面に当てた形態で、フランジ固定ナット９３０の締付け力によって、仕切り板１４に対して固定される。【００２７】
仕切り板１４の取付け孔１６の部分に固定した第１の支持部材９１０に対し、球面形状部分５２０ｓを含むハウジング本体５２０を内周に挿入すれば、一対の支持片９１４ａ，９１４ｂの先端およびＯリング６００が、球面形状部分５２０ｓの外面を支えることができる。その状態で、ねじリングから構成される第２の支持部材９２０を球面形状部分５２０ｓの上方（地球の北半球に相当する部分）にはめ込むことができる。第２の支持部材９２０は、内周側に支持部９２００となる断面円弧形状面を含み、しかもまた、外周側には、第１の支持部材９１０の内周のめねじにねじ結合するおねじが切られている。したがって、第２の支持部材９２０のおねじと第１の支持部材９１０のめねじとをねじ結合させ、ねじリングである第２の支持部材９２０を回転することにより、そのねじ結合の度合いを変化させることができる。ねじ結合の度合いが変われば、第２の支持部材９２０の支持部９２００と球面形状部分５２０ｓとの間の隙間距離を変えることができる。その結果、第２の支持部材９２０の回転に伴う締付け力によって、球面形状部分５２０ｓを含むハウジング本体５２０を固定することができる。【００２８】
ハウジング本体５２０、つまりは、ハウジング本体５２０を含むハウジング５２を固定するとき、第１の支持部材９１０の支持部９１００が生じる摩擦力と、第２の支持部９２０の支持部９２００が生じる摩擦力とが同等であったり、あるいは後者が前者より大きい場合、第２の支持部材９２０による締付けに伴って、ハウジング５２が無用に動き、調整済みの照射状態をくずしてしまうおそれがある。その点、ここでは、アルミニウム製の第２の支持部材９２０の支持部９２００に、ポリテトラフルオロエチレンのテープを貼ったり、アセタール樹脂のブロックを埋め込んだりすることによって、摩擦力を低減するようにしている。それにより、調整済みの照射状態を維持したまま、ハウジング本体５２０を含むハウジング５２を第１および第２の支持部材９１０，９２０によって容易かつ確実に固定することができる。【００２９】
図４は、照射装置５０の変形例を示している。この図４に示す例では、第１の結像レンズ７１０の前面に光拡散板９５０を配置することにより、すでに述べた実施例におけるピント調整リング５２８を不要にしている。それにより、照射装置５０の調整を簡略化し、しかもまた、第２の照射筒５２２周りの構造をスマートにしている。その他の部分は、図２の実施例と同様であるので、対応する構成部分に同一の符号を付けて、それらの構成部分についての説明を省略する。
【図１】
0004785069.tif 000002
【図２】
0004785069.tif 000003
【図３】
0004785069.tif 000004
【図４】
0004785069.tif 000005